(57)【要約】【課題】  汎用性を有し、また、保管の必要な部品をなくし、さらには、非運用時に邪魔になる部分をなくし見栄えをよくした光コンセントユニットを提供する。【解決手段】  光コンセントユニット５１は、取り付け口９１に対して着脱自在となるとともに開口枠部５６を有するユニット本体５２と、光学的な接続を中継する光コネクタアダプタ５３と、その光コネクタアダプタ５３に対する固定用の固定枠部７０を有するとともに、ユニット本体５２の後部側からそのユニット本体５２に対して取り付けられるアダプタステー５４と、開口枠部５６に対して開閉自在に取り付けられるとともに、非運用時において閉状態且つ係止状態となり、さらに、壁外部側から差し込まれる光コネクタの接続前においては、係止状態を解除した係止解除状態となるとともに、上部７７側を回転中心として開き下部７８側から光コネクタの差し込みが可能な開状態となるフロントカバー５５と、を備える。【選択図】    図１
2006126807.tif 000002
【特許請求の範囲】
【請求項１】
情報コンセントを構成する光コンセントユニットであって、
前記情報コンセントのフェイスプレート裏側に位置する取り付け枠に形成した複数の取り付け口の一つに対して着脱自在となるとともに、前記フェイスプレートの開口部に対応する開口枠部を前部側に有するユニット本体と、
壁内部側の光コネクタ及び壁外部側から差し込まれる光コネクタ同士の光学的な接続を中継する光コネクタアダプタと、
該光コネクタアダプタに対する固定部を有するとともに、前記ユニット本体の後部側から該ユニット本体に対して取り付けられるアダプタステーと、
前記開口枠部に対して開閉自在に取り付けられるとともに、非運用時において閉状態且つ係止状態となり、さらに、前記壁外部側から差し込まれる前記光コネクタの接続前においては、前記係止状態を解除した係止解除状態となるとともに、上部側を回転中心として開き下部側から前記光コネクタの前記光コネクタアダプタへの差し込みが可能な開状態となるフロントカバーと、
を備える
ことを特徴とする光コンセントユニット。
【請求項２】
請求項１に記載の光コンセントユニットにおいて、
前記フロントカバーは、少なくとも前記非運用時に前記フェイスプレートに対して略平行な前記閉状態となる
ことを特徴とする光コンセントユニット。
【請求項３】
請求項１又は請求項２に記載の光コンセントユニットにおいて、
前記アダプタステーと前記フロントカバーは、単心の前記光コネクタアダプタに対応するものと、二心の前記光コネクタアダプタに対応するものとの二種を有する
ことを特徴とする光コンセントユニット。
【請求項４】
請求項１ないし請求項３いずれか記載の光コンセントユニットにおいて、
前記ユニット本体及び／又は前記アダプタステーは、光ファイバ接続補強部を保持する接続部保持部を有する、又は前記光ファイバ接続補強部や余長を保持するための別体の保持部品を着脱自在に取付可能とする
ことを特徴とする光コンセントユニット。
【請求項５】
請求項１ないし請求項４いずれか記載の光コンセントユニットにおいて、
前記ユニット本体、前記光コネクタアダプタ、前記アダプタステー、及び前記フロントカバーは、嵌合による組み立てとなる嵌合構造を有する
ことを特徴とする光コンセントユニット。
【請求項６】
請求項１ないし請求項５いずれか記載の光コンセントユニットにおいて、
前記回転中心は、ヒンジ構造により形成する
ことを特徴とする光コンセントユニット。
【発明の詳細な説明】
【技術分野】
【０００１】
本発明は、情報コンセントを構成する光コンセントユニットに関する。
【背景技術】
【０００２】
情報コンセント（アウトレットとも言う）は、例えば、住宅内等に光ファイバケーブルを配設する際に用いられるものであって、下記特許文献１や下記特許文献２に開示されたような情報コンセントが知られている。
【０００３】
下記特許文献１に開示された情報コンセントは、壁内部に配設された光ファイバケーブルからの出射光（光接続部分からの出射光）が直接人間の目に入射しないように配慮した構造を有しており、危険性を低減することができるように構成されている。また、下記特許文献２に開示された情報コンセントは、電話用の接続口と光コネクタ用の接続口とを一体的に組み込んだ構造を有しており、後から光コンセントユニットの必要性が生じた場合に、電話用の接続口のみを有する既存のコンセントに替えて対応することができるように構成されている。
【０００４】
図６５を参照しながら下記特許文献１に開示された情報コンセントを具体的に説明すると、情報コンセント１は、その情報コンセント１を構成する光コンセントユニット２の筐体３がフェイスプレート４及びコンセント取り付け枠（図示省略）と組み合わせられて壁５に取り付けられている。壁５の内部には、上記コンセント取り付け枠を固定したコンセントボックス６が収容されている。
【０００５】
壁５の内部に配設された光ファイバケーブル７の光コネクタ８と、室内側の光ファイバケーブル９の光コネクタ１０は、筐体３内に設けられた光コネクタアダプタ１１によって互いに対向し合うように接続されている。光ファイバケーブル９の光コネクタ１０は、筐体３の開口部１２に差し込まれて光コネクタアダプタ１１に接続されている。開口部１２は、斜め下方向に開口するように形成されている。筐体３は、開口部１２を斜め下方向に開口させるために図示のような突出部分１３を有するように形成されている。
【０００６】
光コネクタアダプタ１１と開口部１２との間には、閉状態となったときに開口部１２を塞ぐ遮光用のフロントカバー１４が設けられている。そのフロントカバー１４は、回転中心１５を支軸として回転可能に構成されている。フロントカバー１４は、光ファイバケーブル９の光コネクタ１０を押し付けることによって容易に回転方向に移動するように構成されている。
【０００７】
上記構成において、閉状態から光ファイバケーブル９の光コネクタ１０を開口部１２を介して光コネクタアダプタ１１側へ差し込むと、フロントカバー１４は回転中心１５を支軸として回転し、破線で示すような位置に回転移動する。この時、フロントカバー１４は開状態となる。尚、フロントカバー１４の裏側には、バネ部材（図示省略）が配置されており、フロントカバー１４の閉状態の位置に向かってバネ付勢をするように構成されている。そして、光コネクタ１０の接続後において、その光コネクタ１０を光コネクタアダプタ１１から抜き取ると、上記バネ部材の復元力によってフロントカバー１４は実線で示す元の位置に戻って閉状態となる。
【０００８】
次に、図６６を参照しながら下記特許文献２に開示された情報コンセントの構成について説明する。情報コンセント２１は、光ファイバケーブル収納プレート２２と、フェイスプレート２３とを備えて構成されている。フェイスプレート２３の薄肉部分２４には、電話用モジュラージャック２５のコンセント穴２６が設けられている。また、フェイスプレート２３の厚肉部分２７であってその最下部には、光コネクタ接続アダプタ２８が形成されている。
【０００９】
コンセント穴２６には、電話用プラグ２９が接続されるようになっている。また、光コネクタ接続アダプタ２８には、光ファイバケーブル３０の端末に設けられた光コネクタ３１が接続されるようになっている。光コネクタ接続アダプタ２８は、出射光の関係から下方に向くように設けられている。
【００１０】
尚、情報コンセント２１は、光コネクタ３１の接続直前までアダプタダストキャップ（図示省略）が光コネクタ接続アダプタ２８に取り付けられている。そして、光コネクタ３１の接続が不要になった場合には、再度アダプタダストキャップが光コネクタ接続アダプタ２８に取り付けられるようになっている。
【特許文献１】特開２００３−２６２７６１号公報  （第３頁、第１図）
【特許文献２】特開２００４−１５７２６３号公報  （第４頁、第１図）
【発明の開示】
【発明が解決しようとする課題】
【００１１】
ところで、上記二つの従来技術にあっては、共に専用のフェイスプレート４、２３と、専用のコンセント取り付け枠（図示省略）とを必要とすることから、既存住宅への光ファイバケーブル導入の際に、既に存在するフェイスプレートや取り付け枠を撤去しなければならないという問題点を有している。すなわち、汎用性のない構造となっている。
【００１２】
その他、上記特許文献１に開示された情報コンセント１にあっては、開口部１２の配置のために突出部分１３を形成していることから、非運用時において邪魔になったり、ぶつかったりするという問題点を有するとともに、見栄えも悪いという問題点を有している。
【００１３】
また、上記特許文献２に開示された情報コンセント２１にあっては、アダプタダストキャップのような容易に取り外し可能な部品を必要とすることから、紛失してしまう可能性が高いという問題点を有している。
【００１４】
本発明は、上述した事情に鑑みてなされたもので、汎用性を有し、また、保管の必要な部品をなくし、さらには、非運用時に邪魔になる部分をなくし見栄えをよくした光コンセントユニットを提供することを課題とする。
【課題を解決するための手段】
【００１５】
上記課題を解決するためになされた請求項１記載の本発明の光コンセントユニットは、情報コンセントを構成する光コンセントユニットであって、前記情報コンセントのフェイスプレート裏側に位置する取り付け枠に形成した複数の取り付け口の一つに対して着脱自在となるとともに、前記フェイスプレートの開口部に対応する開口枠部を前部側に有するユニット本体と、壁内部側の光コネクタ及び壁外部側から差し込まれる光コネクタ同士の光学的な接続を中継する光コネクタアダプタと、該光コネクタアダプタに対する固定部を有するとともに、前記ユニット本体の後部側から該ユニット本体に対して取り付けられるアダプタステーと、前記開口枠部に対して開閉自在に取り付けられるとともに、非運用時において閉状態且つ係止状態となり、さらに、前記壁外部側から差し込まれる前記光コネクタの接続前においては、前記係止状態を解除した係止解除状態となるとともに、上部側を回転中心として開き下部側から前記光コネクタの前記光コネクタアダプタへの差し込みが可能な開状態となるフロントカバーと、を備えることを特徴としている。
【００１６】
このような特徴を有する本発明によれば、ユニット本体と、光コネクタアダプタと、アダプタステーと、フロントカバーと、を備えて光コンセントユニットが構成され、標準の規格化された取り付け枠の一個口に取り付け可能となる。本発明によれば、国内のどこでも入手可能な配線用フェイスプレートを使用することができるようになり、例えば、既存住宅において、光配線を現在の電話線の出口に引き込んだ場合に、同一の取り付け枠を使用し、既製品のフェイスプレートを取り替えるだけで、光ファイバを使用したサービスの運用が可能となる。本発明の光コンセントユニットを取り付け枠に設置する手段及び手順は、既存の電話線用モジュラージャック等と全く同じ方法をとるため、特殊な技能が不要になるのは勿論である。本発明によれば、運用時に保管が必要となる部品は存在しない構成となる。
【００１７】
請求項２記載の本発明の光コンセントユニットは、請求項１に記載の光コンセントユニットにおいて、前記フロントカバーは、少なくとも前記非運用時に前記フェイスプレートに対して略平行な前記閉状態となることを特徴としている。
【００１８】
このような特徴を有する本発明によれば、非運用時における室内側への突出が最小となる。フロントカバーとフェイスプレートとを略平行に配置するためには、フロントカバーと光接続部分との間隔を狭めたり、光接続部分を壁内の既知コンセントボックスの奥壁方向に若干移動させたりすることで実現が可能である。フロントカバーと光接続部分との間隔を狭める構造にすると、防塵機能の向上に寄与することになる。尚、コンセントボックスは、比較的深さのある形状に形成されており、光接続部分の若干の移動ではスペースの縮小につながらないのは勿論である。何ら問題はないものとする。
【００１９】
請求項３記載の本発明の光コンセントユニットは、請求項１又は請求項２に記載の光コンセントユニットにおいて、前記アダプタステーと前記フロントカバーは、単心の前記光コネクタアダプタに対応するものと、二心の前記光コネクタアダプタに対応するものとの二種を有することを特徴としている。
【００２０】
このような特徴を有する本発明によれば、アダプタステーを交換することで単心、二心の双方に対応することが可能となる。また、フロントカバーは単心、二心専用構造とした場合、アダプタステーと同様に交換することでそれぞれに対応することが可能となる。但し、単心、二心共用構造にすることも可能であり、その場合、交換の必要性はない。
【００２１】
請求項４記載の本発明の光コンセントユニットは、請求項１ないし請求項３いずれか記載の光コンセントユニットにおいて、前記ユニット本体及び／又は前記アダプタステーは、光ファイバ接続補強部を保持する接続部保持部を有する、又は前記光ファイバ接続補強部や余長を保持するための別体の保持部品を着脱自在に取付可能とすることを特徴としている。
【００２２】
このような特徴を有する本発明によれば、壁内に通線された光ファイバケーブルと光コンセントユニットへの接続を行うための光ファイバコードとの接続部（例えば融着接続部）の補強部を保持することが可能となる。コンセントボックス内の光ファイバケーブルの余長部分は、この接続部保持部又は保持部品を基にまとめられる。
【００２３】
請求項５記載の本発明の光コンセントユニットは、請求項１ないし請求項４いずれか記載の光コンセントユニットにおいて、前記ユニット本体、前記光コネクタアダプタ、前記アダプタステー、及び前記フロントカバーは、嵌合による組み立てとなる嵌合構造を有することを特徴としている。
【００２４】
このような特徴を有する本発明によれば、構成部品同士を嵌め合わせるによって光コンセントユニットが組み立てられる。
【００２５】
請求項６記載の本発明の光コンセントユニットは、請求項１ないし請求項５いずれか記載の光コンセントユニットにおいて、前記回転中心は、ヒンジ構造により形成することを特徴としている。
【００２６】
このような特徴を有する本発明によれば、ヒンジと、これに連続してユニット本体に取り付けられる部分とを有する構成のフロントカバーになる。フロントカバーは、ヒンジを含むヒンジ構造を有することで、フロントカバーの係止状態が解除されると、ヒンジの復元力によってフロントカバーが若干開く方向に移動するようになる。すなわち、その後の作業がし易くなるのは言うまでもない。
【発明の効果】
【００２７】
請求項１に記載された本発明によれば、従来よりも汎用性を有する光コンセントユニットを提供することができるという効果を奏する。また、運用時に保管の必要な部品をなくして紛失を防止することができるという効果を奏する。
【００２８】
請求項２に記載された本発明によれば、非運用時において邪魔になる部分をなくすことができるという効果を奏する。また、従来よりも見栄えをよくすることができるという効果を奏する。
【００２９】
請求項３に記載された本発明によれば、単心、二心の双方に対応することができるという効果を奏する。
【００３０】
請求項４に記載された本発明によれば、接続部保持部又は保持部品を基に光ファイバケーブルの余長をまとめることで、コンセントボックス内を整頓することができるという効果を奏する。
【００３１】
請求項５に記載された本発明によれば、組み立てを簡素化することができるという効果を奏する。
【００３２】
請求項６に記載された本発明によれば、作業性を向上させることができるという効果を奏する。また、構造を簡素化させることができるという効果を奏する。
【発明を実施するための最良の形態】
【００３３】
以下、図面を参照しながら説明する。
図１は本発明の光コンセントユニットの一実施の形態を示す図であり、（ａ）は光コンセントユニットの分解斜視図、（ｂ）は光コンセントユニットの斜視図である。また、図２及び図３はユニット本体の図、図４はアダプタステーの図、図５及び図６はフロントカバーのカバー本体の図、図７はフロントカバーのシャッターの図である。
【００３４】
図１において、引用符号５１は本発明に係る光コンセントユニットを示している。その光コンセントユニット５１は、例えば、住宅内等に光ファイバケーブルを配設する際に用いられる情報コンセントの一構成部材であって、ユニット本体５２と、光コネクタアダプタ５３と、アダプタステー５４と、フロントカバー５５とを備えて構成されている。以下、図１ないし図７を参照しながら光コンセントユニット５１の各構成部材について説明する。
【００３５】
上記ユニット本体５２は、後述する取り付け枠９０の複数の取り付け口９１の一つに対して着脱自在となる部材であって、例えば、ＡＢＳ等の合成樹脂材料を用いて成形されている（取り付け枠９０は図１７〜２３を参照しながら後述する情報コンセント９７のフェイスプレート９６の裏側に配置されるものとする）。ユニット本体５２は、後述するフェイスプレート９６の開口部形状に合わせて形成された開口枠部５６と、その開口枠部５６に連続する本体枠部５７と、本体枠部５７の左右両側にそれぞれ連続する固定部５８とを有している。
【００３６】
開口枠部５６は、上と左と右の三つの壁からなる倒れコ字状の形状に形成されている。また、開口枠部５６は、長方形状に開口する後述するフェイスプレート９６の開口部９５から若干突出するように形成されている。開口枠部５６は、ユニット本体５２の前部、言い換えれば本体枠部５７の前部に形成されている。尚、開口枠部５６に下壁がないのは、フロントカバー５５の後述する下部７８に指を引っ掛かけることができるようにするためである。
【００３７】
本体枠部５７は、その前部と開口枠部５６とに跨ってフロントカバー５５を取り付けすることができるように形成されている。また、本体枠部５７は、その後部からアダプタステー５４を取り付けすることができるように形成されている。具体的に説明すると、本体枠部５７には、フロントカバー５５に対する一対の第一係止部５９と、一対の第二係止部６０と、一対の当接面６１とが形成されている。また、本体枠部５７には、アダプタステー５４に対するアダプタステー収容空間６２と、一対のアダプタステー固定アーム６３と、一対のアダプタステーガイド溝６４とが形成されている。
【００３８】
第一係止部５９は、本体枠部５７の内側上部に形成されている。また、第一係止部５９は、フロントカバー５５の後述するヒンジ構造７５の一部が差し込まれるとともに、その一部を係止することができるように形成されている。第二係止部６０は、本体枠部５７の内側下部に形成されている。また、第二係止部６０は、フロントカバー５５の後述する係止突起８４が差し込まれるとともに、その係止突起８４を係止することができるように形成されている。当接面６１は、本体枠部５７の内側であって上記左と右の各壁に沿って形成されている。すなわち、上下方向に延在するように形成されている。また、当接面６１は、平坦な面となるように形成されている。さらに、当接面６１は、フロントカバー５５の後述する閉状態及び係止状態において、そのフロントカバー５５の裏面に面接触又は僅かの間隙を有して対向するように形成されている。
【００３９】
アダプタステー収容空間６２は、アダプタステー５４を収容するための空間であって、一対の当接面６１の間に形成されている。また、アダプタステー収容空間６２は、ユニット本体５２の前後を貫通するように形成されている。アダプタステー固定アーム６３は、アダプタステー５４を固定するための可撓性を有する係止突起であって、一対の当接面６１の裏側となる本体枠部５７の後部から突出するように、且つ先端の係止用爪部分がアダプタステー収容空間６２側に突出するように配置形成されている。アダプタステーガイド溝６４は、アダプタステー５４の後述するガイド突起７２を案内するための溝であって、本体枠部５７の後部から前部に向けてスリット状に形成されている。また、アダプタステーガイド溝６４は、アダプタステー収容空間６２に連通するように形成されている。
【００４０】
固定部５８は、後述する取り付け口９１の一つに対して着脱自在となるように形成されている。具体的に説明すると、固定部５８は、後述する電話線用モジュラージャック９２の固定部９４と同じ形状となるように形成されている。すなわち、固定部５８は、汎用性のある形状に形成されている。このような固定部５８には、特に限定するものではないが、接続部保持部６５が形成されている。その接続部保持部６５は、特に図示しないが、後述する壁内部側の光ファイバケーブル（図示省略）と光コンセントユニットへの接続を行うための光ファイバコード（図示省略）との接続部（例えば融着接続部）の補強部を保持することができるように形成されている。
【００４１】
本形態における接続部保持部６５は、固定部５８の後部側に形成されている。また、接続部保持部６５は、上下方向にのびる一対の平行な壁によって形成されている（接続部保持部６５の形状及び配置は一例であるものとする。光ファイバケーブルと光コンセントユニットへの接続を行うための光ファイバコードとの接続部（例えば融着接続部）の補強部を保持し、この保持部分をもとに光ファイバケーブルの余長をまとめると、コンセントボックス内での光ファイバケーブルは整頓されるという利点を有する）。
【００４２】
上記光コネクタアダプタ５３は、壁内部側の光コネクタ（図示省略）と、壁外部側から差し込まれる後述の光コネクタ９８同士の光学的な接続を中継する部材であって、ここでは既知のものが用いられている。尚、本形態において、単心タイプの光コネクタアダプタ５３が用いられているが、二心タイプのものを用いても当然によいものとする。光コネクタアダプタ５３には、壁内部側の光コネクタ（図示省略）を差し込むと嵌合する接続部６６と、同じく後述する光コネクタ９８を差し込むと嵌合する接続部６７とが形成されている。接続部６６及び６７は、光コネクタアダプタ５３の軸方向に沿って配置形成されている。光コネクタアダプタ５３の外周面には、固定用の係止手段６８が形成されている。
【００４３】
上記アダプタステー５４は、光コネクタアダプタ５３をユニット本体５２の所定位置に配置固定するための部材であって、例えば、ＡＢＳ等の合成樹脂材料を用いて成形されている。アダプタステー５４は、斜面６９を有する三角形のブロックとなるような図示の形状に形成されている。このようなアダプタステー５４には、上記の斜面６９の他に固定枠部７０と、一対の係止部７１と、一対のガイド突起７２とが形成されている。
【００４４】
斜面６９は、光コネクタアダプタ５３を固定する際に、その光コネクタアダプタ５３を載せる部分であって、所定の角度（例えば５０°）で傾斜するように形成されている。固定枠部７０は、門形の枠形状であって、斜面６９の途中に形成されている。固定枠部７０は、斜面６９に対して垂直に形成されている。固定枠部７０には、光コネクタアダプタ５３が差し込まれ、その光コネクタアダプタ５３の係止手段６８が引っ掛かるようになっている。固定枠部７０は、特許請求の範囲に記載した固定部に相当するものとする。
【００４５】
係止部７１は、ユニット本体５２のアダプタステー固定アーム６３を引っ掛けるための部分であって、アダプタステー５４の側面に形成されている。係止部７１は、アダプタステー５４の側面を若干凹ませるような形状に形成されている。ガイド突起７２は、アダプタステー５４をユニット本体５２に対して案内するための突起であって、アダプタステー５４の側面下部から垂直に突出するように形成されている。ガイド突起７２は、ユニット本体５２のアダプタステーガイド溝６４に差し込まれるような形状に形成されている。
【００４６】
アダプタステー５４の後部には、特に限定するものではないが、接続部保持部７３が形成されている。その接続部保持部７３は、ユニット本体５２の接続部保持部６５と同じ機能を有している。アダプタステー５４の接続部保持部７３は、左右方向にのびる溝形状に形成されている。
【００４７】
尚、図４（ａ）に示されるアダプタステー５４は、二心タイプの光コネクタアダプタに対応するように形成されている。また、図４（ｂ）に示されるアダプタステー５４は、単心タイプの光コネクタアダプタ５３に対応するように形成されている。図４（ａ）と図４（ｂ）のアダプタステー５４は、固定枠部７０の配置及び二心タイプの光コネクタアダプタに対応するよう枠寸法が異なっているだけでその他は同一に形成されている。これは光コネクタアダプタ５３の係止手段６８の配置がもともと異なっているためである。いずれかのアダプタステー５４が用いられるものとする。
【００４８】
上記フロントカバー５５は、ユニット本体５２の前部に対し開閉自在に取り付けられる部材であって、例えば、ＰＰ等の合成樹脂材料を用いて成形されている。フロントカバー５５は、カバー本体７４と、そのカバー本体７４に対して一体のヒンジ構造７５と、カバー本体７５に対して別体のシャッター７６とを有して構成されている。カバー本体７４は、開口枠部５６の大きさに合わせて形成されている。すなわち、カバー本体７４は、開口枠部５６の全体を覆うことができるように形成されている。
【００４９】
カバー本体７４は、その表裏面が平坦な面となるように形成されている。このようなカバー本体７４の上部７７には、上記ヒンジ構造７５が連続するように形成されている。また、カバー本体７４の下部７８には、スリット７９が形成されている。さらに、カバー本体７４の裏面には、シャッター７６に対するシャッター収容部８０が形成されている。
【００５０】
スリット７９は、後述する光コネクタ９８のブーツ９９（又は光ファイバケーブル１００）のサイズに合わせて形成されている。具体的には、カバー本体７４の下部７８からフロントカバー５５の中心軸に沿って所定の幅及び深さで凹状に切り欠き形成されている。スリット７９は、上記ブーツ９９（又は光ファイバケーブル１００）が丁度引き出せる大きさに形成されている。スリット７９の縁部には、上記ブーツ９９（又は光ファイバケーブル１００）及び上記光コネクタ９８の引っ掛かりを生じさせないようにするためのテーパ８１が形成されている。
【００５１】
シャッター収容部８０は、シャッター７６を収容するとともに、収容したシャッター７６を上下動自在に保持する部分であって、スリット７９の両側に位置するシャッターガイド８２、８３によって形成されている。シャッターガイド８２、８３は、共に、カバー本体７４の裏面から垂直に突出する部分と、その突出する部分からフロントカバー５５の上記中心軸方向にのびる部分とを有しており、略Ｌ字状に形成されている。上記中心軸方向にのびる部分は、カバー本体７４の裏面に対し平行に形成されている。また、上記中心軸側となる端部が上記中心軸に対して傾くようなテーパ形状に形成されている。尚、シャッター収容部８０は、シャッター７６を収容した状態でヒンジ構造７５を後述の如く折り曲げすると、シャッター７６の取り外しが不能となるような形状に形成されている。
【００５２】
シャッターガイド８２、８３の各外面には、ユニット本体５２の第二係止部６０に引っ掛かる係止突起８４が形成されている。その係止突起８４は、先端に係止用爪部分を有する突起であって、ユニット本体５２の第二係止部６０の位置に合わせて形成されている。尚、係止突起８４の配置は、上記位置に限らないものとする。すなわち、フロントカバー５５を後述する閉状態及び係止状態にすることができるのであれば、カバー本体７４の裏面に形成してもよいものとする。
【００５３】
シャッター７６は、長方形状のシャッター本体８５と、そのシャッター本体８５の一方の面から突出する凸部８６とを有している。シャッター本体８５は、表裏平坦な板状に形成されており、カバー本体７４の裏面と、上記中心軸方向にのびる部分との間に収容されるようになっている。凸部８６は、上記中心軸方向にのびる部分の肉厚程度に突出するように形成されている。凸部８６の左右縁部は、テーパ形状に形成されている。シャッター７６は、このような形状に形成されることにより、底のないシャッター収容部８０であっても脱落せずに収容されるようになっている。シャッター７６は、自重によってスリット７９を閉じるとともに、スリット７９に上記ブーツ９９（又は光ファイバケーブル１００）が差し込まれると押し上げられるシャッター押し上げ状態になるようになっている。
【００５４】
ヒンジ構造７５は、カバー本体７４の上部７７に連続するヒンジ８７と、そのヒンジ８７に連続してユニット本体５２に取り付けられる取り付け部８８とを有している。ヒンジ８７は、取り付け部８８がカバー本体７４の裏面側に折り曲げることができるように形成されている。取り付け部８８には、ユニット本体５２の第一係止部５９に差し込まれて引っ掛かる一対の係止突起８９が形成されている。フロントカバー５５は、ヒンジ８７を回転中心として開閉するようになっている。尚、ヒンジ構造７５に限定するものではないものとする。カバー本体７４の上部７７側でフロントカバー５５を開閉することができれば他の構造に替えてもよいものとする（例えば回転軸を設ける等）。
【００５５】
次に、上記構成に基づいて光コンセントユニット５１の組み立てに係る一例を図面を参照しながら説明する。
【００５６】
図８はアダプタステー５４に光コネクタアダプタ５３を取り付けている途中の状態の説明図、図９はアダプタステー５４に光コネクタアダプタ５３を取り付けた状態の説明図、図１０は図９のアダプタステー５４をユニット本体５２の後部に取り付けている途中の状態の説明図、図１１は図９のアダプタステー５４をユニット本体５２の後部に取り付けた状態の説明図、図１２はフロントカバー５５にシャッター７６を取り付けている途中の状態の説明図、図１３はフロントカバー５５にシャッター７６を取り付けた状態の説明図、図１４は図１３のフロントカバー５５をユニット本体５２の前部に取り付けている途中の状態の説明図、図１５は図１３のフロントカバー５５をユニット本体５２の前部に取り付けた状態の説明図、図１６は図１５の状態からフロントカバー５５を閉じて閉状態及び係止状態にした時の説明図である。
【００５７】
先ず、図８及び図９に示されるように、光コネクタアダプタ５３をアダプタステー５４に取り付ける作業を行う。この時、光コネクタアダプタ５３は、アダプタステー５４の斜面６９に載せられ、斜面６９上を滑るような格好で固定枠部７０に差し込まれる。そして、光コネクタアダプタ５３は、固定枠部７０と係止手段６８との嵌合によって所定の向き及び位置に固定される。
【００５８】
尚、図８及び図９は単心タイプの光コネクタアダプタ５３及びアダプタステー５４の組み付けについて図示している。この場合、光コネクタアダプタ５３は、アダプタステー５４の上方から固定枠部７０に差し込まれるような形態がとられる。これに対し、二心タイプの場合にあっては、アダプタステー５４の下方から固定枠部７０に差し込まれるような形態がとられる。
【００５９】
次に、図１０及び図１１に示されるように、光コネクタアダプタ５３の固定が完了したアダプタステー５４をユニット本体５２の後部に取り付ける作業を行う。アダプタステー５４は、ユニット本体５２の後方にセットされた後、前方に移動させられてアダプタステー収容空間６２に差し込まれるような状態で取り付けられる。この時、アダプタステー５４のガイド突起７２は、ユニット本体５２のアダプタステーガイド溝６４に差し込まれて案内される。また、アダプタステー５４は、アダプタステー収容空間６２に所定量差し込まれると、ユニット本体５２のアダプタステー固定アーム６３によって係止される。すなわち、アダプタステー固定アーム６３は、アダプタステー５４の係止部７１に引っ掛かりアダプタステー５４を係止する。これにより、アダプタステー５４のユニット本体５２への取り付けが完了し、アダプタステー５４はその後退が阻止される。ユニット本体５２の開口枠部５６からは光コネクタアダプタ５３を臨むことができるような状態になる。
【００６０】
続いて、図１２及び図１３に示されるように、シャッター７６をフロントカバー５５のシャッター収容部８０に取り付ける作業を行う。カバー本体７４は裏面側を上に向け、シャッター７６はカバー本体７４の上部７７側から、すなわちヒンジ構造７５側からシャッター収容部８０に差し込み収容される。この時、シャッター７６は、凸部８６の、テーパ形状になった上記左右縁部がシャッター収容部８０の、同じくテーパ形状になった上記端部によって案内されるようになる。
【００６１】
続いて、図１４及び図１５に示されるように、フロントカバー５５をユニット本体５２の前部に取り付ける作業を行う。フロントカバー５５は、シャッター７６をシャッター収容部８０に収容した状態でカバー本体７４の表面が上を向くように手で持ち上げられ、そして、ヒンジ構造７５の取り付け部８８をユニット本体５２の第一係止部５９に差し込むような状態で取り付けられる。この時、すなわち、取り付け部８８が第一係止部５９に係止されると、ヒンジ構造７５のヒンジ８７に、まだ折り曲げの癖がついていないことから、フロントカバー５５は図１５に示されるような開状態を維持する。
【００６２】
続いて、図１６に示されるように、フロントカバー５５を閉状態及び係止状態にする作業を行う。この時、フロントカバー５５は、ユニット本体５２の開口枠部５６を覆うような状態でヒンジ８７の部分で折り曲げられる。そして、ヒンジ８７の部分で折り曲げられたフロントカバー５５は、係止突起８４がユニット本体５２の第二係止部６０に引っ掛かり係止される。閉状態及び係止状態になったフロントカバー５５は、係止突起８４と第二係止部６０との係止状態を解除しない限り開かず、その係止状態の解除は、フロントカバー５５のカバー本体７４の下部７８に指を引っかけて手前に引くような力を加えないと解除されないようになっている。係止突起８４は、所定の力で弾性変形する可撓性を有しているものとする。以上により、光コンセントユニット５１の一連の組み立てが完了する。
【００６３】
尚、フロントカバー５５の閉状態及び係止状態において、カバー本体７４とヒンジ構造７５の取り付け部８８との配置が直交するようになることから、上下逆向き、すなわち逆さまにしても取り付け部８８がストッパーになってシャッター７６のシャッター収容部８０からの脱落が防止される。
【００６４】
以上のように組み立てられた光コンセントユニット５１は、次のように取り付けられて情報コンセントを構成する。その一例を図面を参照しながら説明する。
【００６５】
図１７は中央の取り付け口に電話線用モジュラージャックを取り付けた状態の取り付け枠の正面図、図１８は図１７の背面図、図１９は光コンセントユニットと電話線用モジュラージャックとを取り付けた状態の取り付け枠の正面図、図２０は図１９の背面図、図２１は情報コンセントの正面図、図２２は図２１の背面図、図２３は図２１の側面図である。
【００６６】
図１７及び図１８において、情報コンセントを構成する取り付け枠９０の三つの取り付け口９１のうち、中央の取り付け口９１には、電話線用モジュラージャック９２が既知の方法で取り付けられている。ここで引用符号９３はプレート取り付け枠を示している。そのプレート取り付け枠９３の表側には、電話線用モジュラージャック９２の位置に合わせて一つの開口部を有するフェイスプレート（図示省略）が取り付けられている。このような例えば既存住宅に対し光ファイバケーブルを導入する場合には、次のような取り付けが行われる。
【００６７】
先ず、電話線用モジュラージャック９２を既知の方法で取り外す作業を行い、次に、図１９及び図２０に示されるように、取り外した電話線用モジュラージャック９２と、光コンセントユニット５１とを取り付け枠９０の例えば上と下の各取り付け口９１に既知の方法で取り付ける作業を行う。光コンセントユニット５１は、電話線用モジュラージャック９２の固定部９４と同じ構造の固定部５８を有することから、取り付け口９１に対して簡単に取り付けられる。この時、光コンセントユニット５１の光コネクタアダプタ５３に、壁内部側の光ファイバケーブル（図示省略）の光コネクタ（図示省略）が接続されるとともに、その光ファイバケーブル（図示省略）に光ファイバ方端コネクタ付きコード（図示省略）が例えば融着接続され、上記光ファイバコネクタが接続されるとともに、上記融着接続部補強部が接続部保持部６５又は７３によって保持される。
【００６８】
続いて、図２１ないし図２３に示されるように、規格化された大きさの二つの開口部９５を有する既製のフェイスプレート９６をプレート取り付け枠９３の表側に取り付けると、情報コンセント９７に対する一連の作業が完了する。既存住宅に光ファイバケーブルを導入し光コンセントユニット５１を有する情報コンセント９７に変更する場合には、既製のフェイスプレートを適切な開口部を有するものに交換するのみで、その他は既存のものを利用することができる。
【００６９】
図２４ないし図２８を参照しながら情報コンセント９７の運用例を説明する。
【００７０】
図２４はフロントカバー閉状態の斜視図、図２５は光コネクタ接続前のフロントカバー開状態の斜視図、図２６は光コネクタ接続後のフロントカバー開状態の斜視図、図２７は光コネクタ接続後のフロントカバー閉状態の斜視図、図２８は図２７の側面図である。尚、各図面には、特に符号を付さないが、フェイスプレート９６に対するプレート取り付け枠９３の後方に配置されるコンセントボックスが示されている。
【００７１】
図２４において、非運用時はフロントカバー５５が閉状態となる。このような状態から、フロントカバー５５のカバー本体７４の下部７８に指を引っかけて手前に引くような力を加えると、フロントカバー５５の係止状態が解除（係止解除状態）され、そして、ヒンジ８７の復元力も加わって図２５に示されるようなフロントカバー５５の開状態となる。フロントカバー５５は、ヒンジ８７を回転中心として開き、カバー本体７４の下部７８側から光コネクタ９８の差し込みが可能となる。
【００７２】
その後、図２６に示されるように、光コネクタ９８の光コネクタアダプタ５３への接続が完了し、また、図２７及び図２８に示されるように、フロントカバー５５が閉状態及び係止状態になると運用が可能な状態となる。
【００７３】
光コネクタ９８の光コネクタアダプタ５３への接続後においては、フロントカバー５５の開状態から閉状態へ移行する際に、フロントカバー５５のシャッター７６が光コネクタ９８のブーツ９９に当接する（光コネクタ９８と同時に当接、若しくは光ファイバケーブル１００にシャッター７６が当接することでもよい）。シャッター７６は、光コネクタ９８のブーツ９９が当接することによって押し上げられる。運用時には、ブーツ９９及び光ファイバケーブル１００のみが情報コンセント９７から引き出された状態となる。フロントカバー５５は、閉状態においてフェイスプレート９６と平行な状態にあり邪魔になるようなことはない。
【００７４】
光コンセントユニット５１の特徴についてまとめると、「取り付け枠９０の複数の取り付け口９１の一つに対して着脱自在となるとともに、フェイスプレート９６の開口部９５に対応する開口枠部５６を前部側に有するユニット本体５２と、壁内部側の光コネクタ及び壁外部側から差し込まれる光コネクタ９８同士の光学的な接続を中継する光コネクタアダプタ５３と、その光コネクタアダプタ５３に対する固定用の固定枠部７０を有するとともに、ユニット本体５２の後部側からそのユニット本体５２に対して取り付けられるアダプタステー５４と、開口枠部５６に対して開閉自在に取り付けられるとともに、非運用時において閉状態且つ係止状態となり、さらに、壁外部側から差し込まれる光コネクタ９８の接続前においては、係止状態を解除した係止解除状態となるとともに、上部７７側を回転中心として開き下部７８側から光コネクタ９８の光コネクタアダプタ５３への差し込みが可能な開状態となるフロントカバー５５と、を備える」という特徴を有する。
【００７５】
また、フロントカバー５５の特徴についてまとめると、「運用時・非運用時においては、光コンセントユニット５１のユニット本体５２に対し閉状態となるとともに、ユニット本体５２に対し係止状態となり（フェイスプレート９６に対し係止状態にすることも可）、光コネクタ９８の接続前においては、係止状態を解除することによって係止解除状態となるとともに、上部７７側を回転中心として開き下部７８側から光コネクタ９８の光接続部分への差し込みを可能とした開状態となり、さらに、光コネクタ９８の接続後においては、開状態から閉状態への移行の際に光コネクタ９８のブーツ９９（又は光ファイバケーブル１００）が当接することによって引き出し用のシャッター７６が押し上げられるシャッター押し上げ状態となる」という特徴を有する。
【００７６】
以上、図１ないし図２８を参照しながら説明してきたように、本発明の光コンセントユニット５１によれば、標準の規格化された取り付け枠９０の一個口（取り付け口９１）に対して簡単に取り付けをすることができる。本発明の光コンセントユニット５１によれば、国内のどこでも入手可能な配線用フェイスプレートを使用することができるようになり、例えば、既存住宅において、光配線を現在の電話線の出口に引き込んだ場合に、同一の取り付け枠９０を使用し、既製品のフェイスプレートを取り替えるだけで、光ファイバを使用したサービスの運用を可能とすることができる。
【００７７】
本発明の光コンセントユニット５１は、取り付け枠９０に設置する手段及び手順が既存の電話線用モジュラージャック９２等と全く同じ方法をとるため、特殊な技能を持たなくとも設置することができる。また、本発明の光コンセントユニット５１は、運用時に保管を必要とする部品を一切用いずに構成することができる。
【００７８】
一方、フロントカバー５５に関しては、運用時・非運用時ともフロントカバー５５を閉じた状態にすることができる。フロントカバー５５を開く必要があるのは、サービス開始時となる光コネクタ９８の接続時と、サービス停止時となる光コネクタ９８の接続解除時の二つの場合になる。フロントカバー５５は、閉状態において、光コンセントユニット５１のユニット本体５２に対し係止することができる。その係止は、フロントカバー５５の簡単な開きを防止することができる。また、フロントカバー５５は、閉状態において、光コネクタ９８の光接続部分を覆うことができる。従って、誤って光コネクタ９８のロックを解除してしまうことを防止することができる。さらに、フロントカバー５５は、閉状態において、出射光を遮蔽したりゴミや埃等の異物の侵入を防止することができる。
【００７９】
フロントカバー５５は、手で係止状態を解除するとともに手で開くことによって光コネクタ９８の接続又は接続解除を従来同様に簡単に行うことができる。フロントカバー５５は、従来のような光コネクタの押しつけによって開くような構造を有するものではないことから、特に子供によって簡単に開状態にされてしまうことを防止することができる。
【００８０】
ここで、上述のフロントカバー５５の変形例について図２９ないし図３５を参照しながら説明する。尚、上述と同じ部分については同一の符号を付してその説明を省略し、追加部分のみ説明する。追加部分はダッシュの符号（′）を付すことにする。図２９及び図３０はフロントカバーのカバー本体の図、図３１はフロントカバーのシャッターの図である。
【００８１】
図２９及び図３０において、カバー本体７４の裏面には、シャッター収容部８０の一構成部分となる保持突起８０′が形成されている。その保持突起８０′は、カバー本体７４の裏面上部に形成されており、シャッター７６を案内するテーパ面を有している。保持突起８０′は、シャッター７６を後述する開いた状態にする際に作用する突起として形成されている（シャッター７６を自重によってスリット７９を閉じる方向に移動させないようにする作用）。
【００８２】
図３１において、シャッター７６の凸部８６には、図示のような突起状の突き出し部８６′が形成されている。突き出し部８６′は、シャッター７６を後述する開いた状態にする際に用いる部分として、或いは、開いた状態から閉じた状態にする際に用いる部分として形成されている。突き出し部８６′は、指で操作し易い形状に形成されている。
【００８３】
図３２及び図３３において、図示のようにシャッター７６をフロントカバー５５のシャッター収容部８０に取り付ける作業を行うと、シャッター７６はカバー本体７４の上部７７側から、すなわちヒンジ構造７５側から保持突起８０′を乗り越えるようにしてシャッター収容部８０に差し込み収容される。この時、シャッター７６は、凸部８６の、テーパ形状になった上記左右縁部がシャッター収容部８０の、同じくテーパ形状になった上記端部によって案内されるようになる。また、突き出し部８６′は、シャッターガイド８２、８３の間から突出するようになる。尚、フロントカバー５５のユニット本体５２に対する取り付けは上述と同じであるものとする。
【００８４】
図３４及び図３５において、情報コンセント９７の運用の際にフロントカバー５５を開状態にし、その後、突き出し部８６′に指を引っ掛けてシャッター７６を押し上げると、シャッター７６が開いた状態となりスリット７９が開口する。そして、特に図示しないが、光コネクタ９８の光コネクタアダプタ５３への接続が完了しフロントカバー５５を閉状態にすると、フロントカバー５５からは光コネクタ９８のブーツ９９のみが露出する状態になる。
【００８５】
変形例のフロントカバー５５の特徴についてまとめると、「運用時・非運用時においては、光コンセントユニット５１のユニット本体５２に対し閉状態となるとともに、ユニット本体５２に対し係止状態となり（フェイスプレート９６に対し係止状態にすることも可）、光コネクタ９８の接続前においては、係止状態を解除することによって係止解除状態となるとともに、上部７７側を回転中心として開き下部７８側から光コネクタ９８の光接続部分への差し込みを可能とした開状態となり、その後、シャッター７６の突き出し部８６′に指を引っ掛けてシャッター７６を押し上げると、シャッター７６の開いた状態となり、さらに、光コネクタ９８の接続後においては、再びユニット本体５２に対して係止状態となり、フロントカバー５５からは光コネクタ９８のブーツ９９のみが露出する状態になる」という特徴を有する。変形例のフロントカバー５５の効果は、上述と同様である。
【００８６】
次に、図３６ないし図６１を参照しながら本発明の光コンセントユニットの他の一実施の形態を説明する。尚、図１〜図２８の上述の形態と同じ構成部材については同一の符号を付してその説明を省略する。図３６は本発明の光コンセントユニットの他の一実施の形態を示す図、図３７はフロントカバーの図である。
【００８７】
図３６において、引用符号１５１は本発明に係る光コンセントユニットを示している。その光コンセントユニット１５１は、例えば、住宅内等に光ファイバケーブルを配設する際に用いられる情報コンセントの一構成部材であって、ユニット本体５２と、単心タイプの光コネクタアダプタ５３（又は二心タイプの５３′）と、アダプタステー５４（又は５４′（５４′は図４（ａ）で示したアダプタステー５４と同じ））と、フロントカバー１５５とを備えて構成されている。
【００８８】
上記フロントカバー１５５は、ユニット本体５２の前部に対し開閉自在に取り付けられる部材であって、例えば、ＰＰ等の合成樹脂材料を用いて成形されている。フロントカバー１５５は、カバー本体１７４と、そのカバー本体１７４に対して一体のヒンジ構造１７５と、カバー本体１７４に対して同じく一体のカバー折り畳み部１７６とを有して構成されている。カバー本体１７４は、開口枠部５６の大きさに合わせて形成されている。すなわち、カバー本体１７４は、開口枠部５６の全体を覆うことができるように形成されている。
【００８９】
カバー本体１７４は、その表裏面が平坦な面となるように形成されている。このようなカバー本体１７４の上部１７７には、上記ヒンジ構造１７５が連続するように形成されている。また、カバー本体１７４の下部１７８には、スリット１７９を有する上記カバー折り畳み部１７６がヒンジ１８０を介して連続するように形成されている。
【００９０】
カバー折り畳み部１７６から先に説明すると、そのカバー折り畳み部１７６は、ヒンジ１８０を介してカバー本体１７４に連続することから、カバー本体１７４の裏側に折り畳むことができるように形成されている。また、カバー折り畳み部１７６は、後述するが、運用時に折り畳み状態から起こすと、カバー本体１７４の後述する開状態を支えることができるように形成されている。
【００９１】
カバー折り畳み部１７６のスリット１７９は、後述する光コネクタ９８のブーツ９９（又は光ファイバケーブル１００）のサイズに合わせて形成されている。具体的には、カバー折り畳み部１７６の下部１８１からフロントカバー１５５の中心軸に沿って所定の幅及び深さで凹状に切り欠き形成されている。スリット１７９は、上記ブーツ９９（又は光ファイバケーブル１００）を丁度引き出せる大きさに形成することが好ましいものとする。尚、図中のスリット１７９は、単心、二心のいずれの場合にも対応できるように、二心の大きさで形成されている（この限りでないものとする。単心に合わせたスリット１７９を有するフロントカバー１５５と、二心に合わせたスリット１７９を有するフロントカバー１５５の二つを設定し、使い分けることも可能であるものとする）。
【００９２】
カバー折り畳み部１７６の下部１８１には、カバー本体１７４の後述する開状態を支える際に引っ掛かりを生じさせる一対の支持突起１８２が形成されている。その支持突起１８２は、先端に爪部分を有する突起であって、スリット１７９を挟んだ両側に配置形成されている。また、支持突起１８２は、ユニット本体５２の第二係止部６０の位置に合わせて形成されている。支持突起１８２は、フロントカバー１５５の後述する開状態を安定させるために有用な部分である。
【００９３】
カバー折り畳み部１７６の上部１８３には、ヒンジ１８０が連成されている。また、その上部１８３の近傍には、後述する非運用時においてユニット本体５２の第二係止部６０に引っ掛かる係止突起１８４が形成されている。その係止突起８４は、先端に係止用爪部分を有する突起であって、カバー折り畳み部１７６の表面１８５から突出するように形成されている。また、係止突起１８４は、ユニット本体５２の第二係止部６０の位置に合わせて形成されている。尚、係止突起１８４の配置は、上記位置に限らないものとする。すなわち、フロントカバー１５５を後述する閉状態及び係止状態にすることができるのであれば、カバー本体１７４の裏面に形成してもよいものとする。
【００９４】
カバー折り畳み部１７６の裏面１８６は、平坦な面となるように形成されている。カバー折り畳み部１７６の裏面１８６は、カバー本体１７４の裏側に折り畳んだ際にカバー本体１７４の裏面に対し面接触又は僅かの間隙を有して対向するように形成されている。
【００９５】
ヒンジ構造１７５は、カバー本体１７４の上部１７７に連続するヒンジ１８７と、そのヒンジ１８７に連続してユニット本体５２に取り付けられる取り付け部１８８とを有している。ヒンジ１８７は、取り付け部１８８がカバー本体１７４の裏面側に折り曲げることができるように形成されている。取り付け部１８８には、ユニット本体５２の第一係止部５９に差し込まれて引っ掛かる一対の係止突起１８９が形成されている。フロントカバー１５５は、ヒンジ１８７を回転中心として開閉するようになっている。尚、ヒンジ構造１７５に限定するものではないものとする。カバー本体１７４の上部１７７側でフロントカバー１５５を開閉することができれば他の構造に替えてもよいものとする（例えば回転軸を設ける等）。
【００９６】
次に、上記構成に基づいて光コンセントユニット１５１の組み立てに係る一例を図面を参照しながら説明する。
【００９７】
図３９はアダプタステー５４に光コネクタアダプタ５３を取り付けている途中の状態の説明図、図４０はアダプタステー５４に光コネクタアダプタ５３を取り付けた状態の説明図、図４１はアダプタステー５４′に光コネクタアダプタ５３′を取り付けている途中の状態の説明図、図４２はアダプタステー５４′に光コネクタアダプタ５３′を取り付けた状態の説明図、図４３は図４０のアダプタステー５４をユニット本体５２の後部に取り付けている途中の状態の説明図、図４４は図４０のアダプタステー５４をユニット本体５２の後部に取り付けた状態の説明図、図４５はフロントカバー１５５をユニット本体５２の前部に取り付けている途中の状態の説明図、図４６はフロントカバー１５５をユニット本体５２の前部に取り付けた状態の説明図、図４７は図４６の状態からカバー本体１７４の裏側にカバー折り畳み部１７６を折り畳んだ状態の説明図、図４８は図４７の状態からフロントカバー１５５を閉じて閉状態及び係止状態にした時の説明図である。
【００９８】
先ず、図３９及び図４０に示されるように、光コネクタアダプタ５３をアダプタステー５４に取り付ける作業を行う。この時、光コネクタアダプタ５３は、アダプタステー５４の斜面６９に載せられ、斜面６９上を滑るような格好で固定枠部７０に差し込まれる。そして、光コネクタアダプタ５３は、固定枠部７０と係止手段６８との嵌合によって所定の向き及び位置に固定される。
【００９９】
尚、図３９及び図４０は単心タイプの光コネクタアダプタ５３及びアダプタステー５４の組み付けについて図示している。この場合、光コネクタアダプタ５３は、アダプタステー５４の上方から固定枠部７０に差し込まれるような形態がとられる。これに対し、二心タイプの場合にあっては、図４１及び図４２に示されるように、アダプタステー５４′の下方から光コネクタアダプタ５３′が固定枠部７０に差し込まれるような形態がとられる。
【０１００】
次に、図４３及び図４４に示されるように、光コネクタアダプタ５３の固定が完了したアダプタステー５４をユニット本体５２の後部に取り付ける作業を行う。アダプタステー５４は、ユニット本体５２の後方にセットされた後、前方に移動させられてアダプタステー収容空間６２に差し込まれるような状態で取り付けられる。この時、アダプタステー５４のガイド突起７２は、ユニット本体５２のアダプタステーガイド溝６４に差し込まれて案内される。また、アダプタステー５４は、アダプタステー収容空間６２に所定量差し込まれると、ユニット本体５２のアダプタステー固定アーム６３によって係止される。すなわち、アダプタステー固定アーム６３は、アダプタステー５４の係止部７１に引っ掛かりアダプタステー５４を係止する。これにより、アダプタステー５４のユニット本体５２への取り付けが完了し、アダプタステー５４はその後退が阻止される。ユニット本体５２の開口枠部５６からは光コネクタアダプタ５３を臨むことができるような状態になる。
【０１０１】
続いて、図４５及び図４６に示されるように、フロントカバー１５５をユニット本体５２の前部に取り付ける作業を行う。フロントカバー１５５は、カバー本体１７４の表面が上を向くように手で持ち上げられ、そして、ヒンジ構造１７５の取り付け部１８８をユニット本体５２の第一係止部５９に差し込むような状態で取り付けられる。
【０１０２】
続いて、図４７に示されるように、カバー折り畳み部１７６をカバー本体１７４の裏側に折り畳む作業を行う。この時、カバー折り畳み部１７６の裏面１８６は、カバー本体１７４の裏面に対し面接触又は僅かの間隙を有して対向するように折り畳まれる。
【０１０３】
続いて、図４８に示されるように、フロントカバー１５５を閉状態及び係止状態にする作業を行う。この時、フロントカバー１５５は、ユニット本体５２の開口枠部５６を覆うような状態でヒンジ１８７の部分で折り曲げられる。そして、ヒンジ１８７の部分で折り曲げられたフロントカバー１５５は、カバー折り畳み部１７６の係止突起１８４がユニット本体５２の第二係止部６０に引っ掛かり係止される。閉状態及び係止状態になったフロントカバー１５５は、係止突起１８４と第二係止部６０との係止状態を解除しない限り開かず、その係止状態の解除は、フロントカバー１５５のカバー本体１７４の下部１７８に指を引っかけて手前に引くような力を加えないと解除されないようになっている。係止突起１８４は、所定の力で弾性変形する可撓性を有しているものとする。以上により、光コンセントユニット１５１の一連の組み立てが完了する。
【０１０４】
以上のように組み立てられた光コンセントユニット１５１は、次のように取り付けられて情報コンセントを構成する。その一例を図面を参照しながら説明する。
【０１０５】
図４９は中央の取り付け口に電話線用モジュラージャックを取り付けた状態の取り付け枠の正面図、図５０は図４９の背面図、図５１は光コンセントユニットと電話線用モジュラージャックとを取り付けた状態の取り付け枠の正面図、図５２は図５１の背面図、図５３は情報コンセントの正面図、図５４は図５３の背面図、図５５は図５３の側面図である。
【０１０６】
図４９及び図５０において、取り付け枠９０の中央の取り付け口９１には、電話線用モジュラージャック９２が既知の方法で取り付けられている。プレート取り付け枠９３の表側には、電話線用モジュラージャック９２の位置に合わせて一つの開口部を有するフェイスプレート（図示省略）が取り付けられている。このような例えば既存住宅に対し光ファイバケーブルを導入する場合には、次のような取り付けが行われる。
【０１０７】
先ず、電話線用モジュラージャック９２を既知の方法で取り外す作業を行い、次に、図５１及び図５２に示されるように、取り外した電話線用モジュラージャック９２と、光コンセントユニット１５１とを取り付け枠９０の例えば上と下の各取り付け口９１に既知の方法で取り付ける作業を行う。光コンセントユニット１５１は、電話線用モジュラージャック９２の固定部９４と同じ構造の固定部５８を有することから、取り付け口９１に対して簡単に取り付けられる。この時、光コンセントユニット１５１の光コネクタアダプタ５３に、壁内部側の光ファイバケーブル（図示省略）の光コネクタ（図示省略）が接続されるとともに、、その光ファイバケーブル（図示省略）に光ファイバ方端コネクタ付きコード（図示省略）が例えば融着接続され、上記光ファイバコネクタが接続されるとともに、上記融着接続部補強部が接続部保持部６５又は７３によって保持される。
【０１０８】
続いて、図５３ないし図５５に示されるように、規格化された大きさの二つの開口部９５を有する既製のフェイスプレート９６をプレート取り付け枠９３の表側に取り付けると、情報コンセント１９７に対する一連の作業が完了する。既存住宅に光ファイバケーブルを導入し光コンセントユニット１５１を有する情報コンセント１９７に変更する場合には、既製のフェイスプレートを適切な開口部を有するものに交換するのみで、その他は既存のものを利用することができる。
【０１０９】
図５６ないし図６１を参照しながら情報コンセント１９７の運用例を説明する。
【０１１０】
図５６はフロントカバー閉状態の斜視図、図５７は光コネクタ接続前のフロントカバー開状態の斜視図、図５８は図５７の状態から光コネクタを接続している途中の状態の斜視図、図５９は図５８の状態からカバー折り畳み部を起こしている途中の状態の斜視図、図６０は光コネクタ接続後のフロントカバー開状態の斜視図、図６１は図６０の側面図である。尚、各図面には、特に符号を付さないが、コンセントボックスが示されている。
【０１１１】
図５６において、非運用時はフロントカバー１５５が閉状態となる。フロントカバー１５５は、閉状態においてフェイスプレート９６と平行な状態にあり邪魔になるようなことはない。このような状態から、フロントカバー１５５のカバー本体１７４の下部１７８に指を引っかけて手前に引くような力を加えると、フロントカバー１５５の係止状態が解除（係止解除状態）され、そして、ヒンジ１８７の復元力も加わって図５７に示されるようなカバー本体１７４の開状態となる。フロントカバー１５５は、ヒンジ１８７を回転中心として開き、カバー本体１７４の下部１７８側からは、光コネクタ９８の差し込みが可能な状態となる。
【０１１２】
その後、図５８に示されるように、光コネクタ９８の光コネクタアダプタ５３への接続を行い、図５９に示されるように、光コネクタ９８の接続が完了すると、図６０及び図６１に示されるように、カバー折り畳み部１７６を起こしてカバー本体１７４の開状態を支える。これによってフロントカバー１５５は、完全に開状態となる。そして、運用が可能な状態となる。フロントカバー１５５のスリット１７９からは、ブーツ９９及び光ファイバケーブル１００のみが引き出された状態となる。光接続部分は、フロントカバー１５５によって保護される。フロントカバー１５５は、開状態において、特に上方及び側方からの外力に対して強い構造となる（図６０及び図６１参照）。
【０１１３】
光コンセントユニット１５１の特徴についてまとめると、「取り付け枠９０の複数の取り付け口９１の一つに対して着脱自在となるとともに、フェイスプレート９６の開口部９５に対応する開口枠部５６を前部側に有するユニット本体５２と、壁内部側の光コネクタ及び壁外部側から差し込まれる光コネクタ９８同士の光学的な接続を中継する光コネクタアダプタ５３（又は５３′）と、その光コネクタアダプタ５３に対する固定用の固定枠部７０を有するとともに、ユニット本体５２の後部側からそのユニット本体５２に対して取り付けられるアダプタステー５４（又は５４′）と、開口枠部５６に対して開閉自在に取り付けられるとともに、非運用時において閉状態且つ係止状態となり、さらに、壁外部側から差し込まれる光コネクタ９８の接続前においては、係止状態を解除した係止解除状態となるとともに、上部１７７側を回転中心として開き下部１７８側から光コネクタ９８の光コネクタアダプタ５３への差し込みが可能な開状態となるフロントカバー１５５と、を備える」という特徴を有する。
【０１１４】
また、フロントカバー１５５の特徴についてまとめると、「上部１７７側に回転中心を形成して光コンセントユニット１５１のユニット本体５２に対し開状態・閉状態となるカバー本体１７４を有し、そのカバー本体１７４の下部１７８には、非運用時においてカバー本体１７４の裏側に折り畳まれるとともに、運用時に起こされてカバー本体１７４の開状態を支えるカバー折り畳み部１７６を連続形成し、カバー折り畳み部１７６には、光接続部分への接続を行った光コネクタ９８のブーツ９９（又は光ファイバケーブル１００）に対する引き出し用のスリット１７９と、ユニット本体５２に対する係止突起１８４（フェイスプレート９６に対し係止状態にすることも可）を形成する」という特徴を有する。
【０１１５】
以上、図３６ないし図６１を参照しながら説明してきたように、本発明の光コンセントユニット１５１によれば、標準の規格化された取り付け枠９０の一個口（取り付け口９１）に対して簡単に取り付けをすることができる。本発明の光コンセントユニット１５１によれば、国内のどこでも入手可能な配線用フェイスプレートを使用することができるようになり、例えば、既存住宅において、光配線を現在の電話線の出口に引き込んだ場合に、同一の取り付け枠９０を使用し、既製品のフェイスプレートを取り替えるだけで、光ファイバを使用したサービスの運用を可能とすることができる。
【０１１６】
本発明の光コンセントユニット１５１は、取り付け枠９０に設置する手段及び手順が既存の電話線用モジュラージャック９２等と全く同じ方法をとるため、特殊な技能を持たなくとも設置することができる。また、本発明の光コンセントユニット１５１は、運用時に保管を必要とする部品を一切用いずに構成することができる。
【０１１７】
一方、フロントカバー１５５に関しては、非運用時において、光コンセントユニット１５１のユニット本体５２に対し係止することができる。その係止は、フロントカバー１５５の簡単な開きを防止することができる。また、フロントカバー１５５は、非運用時において、出射光を遮蔽したりゴミや埃等の異物の侵入を防止することができる。さらに、フロントカバー１５５は、運用時において、光コネクタ９８の光接続部分を覆うことができる。従って、誤って光コネクタ９８のロックを解除してしまうことを防止するとともに、外力の影響を阻止することができる。
【０１１８】
フロントカバー１５５は、手で係止状態を解除するとともに手で開くことによって光コネクタ９８の接続を従来同様に簡単に行うことができる。フロントカバー１５５は、従来のような光コネクタの押しつけによって開くような構造を有するものではないことから、特に子供によって簡単に開状態にされてしまうことを防止することができる。
【０１１９】
図６２ないし図６４を参照しながらユニット本体及びアダプタステーに跨って取り付けられる保持部品について説明する。図６２は保持部品を取り付けた状態を示す斜視図、図６３は保持部品の斜視図、図６４は保持部品の使用例を示す斜視図である。
【０１２０】
図６２において、引用符号２０１は、光ファイバ接続補強部や余長を保持するための合成樹脂製の保持部品を示している。その保持部品２０１は、ユニット本体５２及びアダプタステー５４に跨って取り付けることができるように形成されている。保持部品２０１は、ユニット本体５２及びアダプタステー５４に対して別体であって、着脱自在となるように形成されている。
【０１２１】
図６２及び図６３において、保持部品２０１は、本形態において柱状の部分を組み合わせてなる一体成形品であって、一対のユニット本体側取付部２０２と、アダプタステー側取付部２０３と、一対の保持アーム２０４とを有して図示のような形状に形成されている。
【０１２２】
一対のユニット本体側取付部２０２は、それぞれユニット本体５２の固定部５８における接続部保持部６５に対して取り付けられる部分であって、コ字状に形成されている。一対のユニット本体側取付部２０２は、それぞれ接続部保持部６５に対して挟み込まれるようなサイズに形成されている。一対のユニット本体側取付部２０２には、それぞれ保持アーム２０４が連成されている。
【０１２３】
アダプタステー側取付部２０３は、アダプタステー５４の後部における接続部保持部７３に対して取り付けられる部分であって、一対のユニット本体側取付部２０２を連結するように配置形成されている。アダプタステー側取付部２０３は、接続部保持部７３に対して挟み込まれるようなサイズに形成されている。このようなアダプタステー側取付部２０３には、切り欠き２０５が形成されている。切り欠き２０５は、アダプタステー側取付部２０３の中央に形成されており、例えば光ファイバ接続補強部や余長を保護するカバー等を設ける場合に、そのカバー等を着脱自在に取り付けることができるようになっている。
【０１２４】
アダプタステー側取付部２０３及び一対の保持アーム２０４は、図６４に示されるように、光ファイバ接続補強部２０６や余長２０７を結束部材２０８によって保持することができるように形成されている。具体的な形状の一例としては、光ファイバ接続補強部２０６や余長２０７を保持する際にこれらが接触する平らな面２０９と、結束部材２０８のズレ防止や位置決めを行うための複数の凹部２１０とを有して図示のような形状に形成されている。尚、一対の保持アーム２０４の長さが長い場合には、切断用スリット２１１の部分を切断することにより長さを調節することができるようになっている。
【０１２５】
本発明によれば、保持部品２０１を用いて光ファイバ接続補強部２０６や余長２０７を保持することにより、伝送損失を増加させることなく光コンセントユニット５１を壁内に収容することができるようになっている。また、保持部品２０１は、情報コンセント２１２の幅を目安に余長２０７等を光損失のない状態で保持することができるようになっている。
【０１２６】
保持部品２０１は、単純な構造であることから、部品コストを抑えることができるようになっている。また、保持部品２０１は、コンセントボックス内での整頓を容易に行うことができるようになっている。保持部品２０１を用いることで作業性を向上させることもできるようになっている。
【０１２７】
その他、本発明は本発明の主旨を変えない範囲で種々変更実施可能なことは勿論である。
【図面の簡単な説明】
【０１２８】
【図１】本発明の光コンセントユニットの一実施の形態を示す図であり、（ａ）は光コンセントユニットの分解斜視図、（ｂ）は光コンセントユニットの斜視図である。
【図２】ユニット本体の図であり、（ａ）は平面図、（ｂ）は正面図、（ｃ）は底面図である。
【図３】ユニット本体の図であり、（ａ）は縦断面図、（ｂ）は側面図、（ｃ）は背面図である。
【図４】アダプタステーの図であり、（ａ）は二心タイプの光コネクタアダプタに対するアダプタステーの斜視図、（ｂ）は単心タイプの光コネクタアダプタに対するアダプタステーの斜視図である。
【図５】フロントカバーのカバー本体の図であり、（ａ）は平面図、（ｂ）は正面図、（ｃ）は底面図である。
【図６】フロントカバーのカバー本体の図であり、（ａ）は側面図、（ｂ）は背面図、（ｃ）は縦断面図である。
【図７】フロントカバーのシャッターの図であり、（ａ）は平面図、（ｂ）は正面図、（ｃ）は底面図、（ｄ）は側面図である。
【図８】アダプタステーに光コネクタアダプタを取り付けている途中の状態の説明図である。
【図９】アダプタステーに光コネクタアダプタを取り付けた状態の説明図である。
【図１０】図９のアダプタステーをユニット本体後部に取り付けている途中の状態の説明図である。
【図１１】図９のアダプタステーをユニット本体後部に取り付けた状態の説明図である。
【図１２】フロントカバーにシャッターを取り付けている途中の状態の説明図である。
【図１３】フロントカバーにシャッターを取り付けた状態の説明図である。
【図１４】図１３のフロントカバーをユニット本体前部に取り付けている途中の状態の説明図である。
【図１５】図１３のフロントカバーをユニット本体前部に取り付けた状態の説明図である。
【図１６】図１５の状態からフロントカバーを閉じて閉状態及び係止状態にした時の説明図である。
【図１７】中央の取り付け口に電話線用モジュラージャックを取り付けた状態の取り付け枠の正面図である。
【図１８】図１７の背面図である。
【図１９】光コンセントユニットと電話線用モジュラージャックとを取り付けた状態の取り付け枠の正面図である。
【図２０】図１９の背面図である。
【図２１】情報コンセントの正面図である。
【図２２】図２１の背面図である。
【図２３】図２１の側面図である。
【図２４】フロントカバー閉状態の斜視図である。
【図２５】光コネクタ接続前のフロントカバー開状態の斜視図である。
【図２６】光コネクタ接続後のフロントカバー開状態の斜視図である。
【図２７】光コネクタ接続後のフロントカバー閉状態の斜視図である。
【図２８】図２７の側面図である。
【図２９】フロントカバーのカバー本体の図であり、（ａ）は平面図、（ｂ）は正面図、（ｃ）は底面図である。
【図３０】フロントカバーのカバー本体の図であり、（ａ）は側面図、（ｂ）は背面図、（ｃ）は縦断面図である。
【図３１】フロントカバーのシャッターの図であり、（ａ）は平面図、（ｂ）は正面図、（ｃ）は底面図、（ｄ）は側面図である。
【図３２】フロントカバーにシャッターを取り付けている途中の状態の説明図である。
【図３３】フロントカバーにシャッターを取り付けた状態の説明図である。
【図３４】フロントカバーのシャッターを開く前の状態の説明図である。
【図３５】フロントカバーのシャッターを開いた状態の説明図である。
【図３６】本発明の光コンセントユニットの他の一実施の形態を示す図であり、（ａ）は光コンセントユニットの分解斜視図、（ｂ）は光コンセントユニットの斜視図である。
【図３７】フロントカバーの図であり、（ａ）は平面図、（ｂ）は正面図、（ｃ）は底面図である。
【図３８】フロントカバーの図であり、（ａ）は側面図、（ｂ）は背面図、（ｃ）及び（ｄ）は折り畳み後の外観説明図である。
【図３９】アダプタステーに単心タイプの光コネクタアダプタを取り付けている途中の状態の説明図である。
【図４０】アダプタステーに光単心タイプのコネクタアダプタを取り付けた状態の説明図である。
【図４１】アダプタステーに二心タイプの光コネクタアダプタを取り付けている途中の状態の説明図である。
【図４２】アダプタステーに二心タイプの光コネクタアダプタを取り付けた状態の説明図である。
【図４３】図４０のアダプタステーをユニット本体後部に取り付けている途中の状態の説明図である。
【図４４】図４０のアダプタステーをユニット本体後部に取り付けた状態の説明図である。
【図４５】フロントカバーをユニット本体前部に取り付けている途中の状態の説明図である。
【図４６】フロントカバーをユニット本体前部に取り付けた状態の説明図である。
【図４７】図４６の状態からカバー本体の裏側にカバー折り畳み部を折り畳んだ状態の説明図である。
【図４８】図４７の状態からフロントカバーを閉じて閉状態及び係止状態にした時の説明図である。
【図４９】中央の取り付け口に電話線用モジュラージャックを取り付けた状態の取り付け枠の正面図である。
【図５０】図４９の背面図である。
【図５１】光コンセントユニットと電話線用モジュラージャックとを取り付けた状態の取り付け枠の正面図である。
【図５２】図５１の背面図である。
【図５３】情報コンセントの正面図である。
【図５４】図５３の背面図である。
【図５５】図５３の側面図である。
【図５６】フロントカバー閉状態の斜視図である。
【図５７】光コネクタ接続前のフロントカバー開状態の斜視図である。
【図５８】図５７の状態から光コネクタを接続している途中の状態の斜視図である。
【図５９】図５８の状態からカバー折り畳み部を起こしている途中の状態の斜視図である。
【図６０】光コネクタ接続後のフロントカバー開状態の斜視図である。
【図６１】図６０の側面図である。
【図６２】ユニット本体及びアダプタステーに跨って保持部品を取り付けた状態を示す斜視図である。
【図６３】図６２の保持部品の斜視図である。
【図６４】図６２の保持部品の使用例を示す斜視図である。
【図６５】従来例の情報コンセントの構成説明図である。
【図６６】他の従来例の情報コンセントの構成説明図である。
【符号の説明】
【０１２９】
５１  光コンセントユニット
５２  ユニット本体
５３、５３′  光コネクタアダプタ
５４、５４′  アダプタステー
５５  フロントカバー
５６  開口枠部
５７  本体枠部
５８  固定部
５９  第一係止部
６０  第二係止部
６１  当接面
６２  アダプタステー収容空間
６３  アダプタステー固定アーム
６４  アダプタステーガイド溝
６５  接続部保持部
６６、６７  接続部
６８  係止手段
６９  斜面
７０  固定枠部（固定部）
７１  係止部
７２  ガイド突起
７３  接続部保持部
７４  カバー本体
７５  ヒンジ構造
７６  シャッター
７７  上部
７８  下部
７９  スリット
８０  シャッター収容部
８０′保持突起
８１  テーパ
８２、８３  シャッターガイド
８４  係止突起
８５  シャッター本体
８６  凸部
８６′突き出し部
８７  ヒンジ
８８  取り付け部
８９  係止突起
９０  取り付け枠
９１  取り付け口
９２  電話線用モジュラージャック
９３  プレート取り付け枠
９４  固定部
９５  開口部
９６  フェイスプレート
９７  情報コンセント
９８  光コネクタ
９９  ブーツ
１００  光ファイバケーブル
１５１  光コンセントユニット
１５５  フロントカバー
１７４  カバー本体
１７５  ヒンジ構造
１７６  カバー折り畳み部
１７７  上部
１７８  下部
１７９  スリット
１８０  ヒンジ
１８１  下部
１８２  支持突起
１８３  上部
１８４  係止突起
１８５  表面
１８６  裏面
１８７  ヒンジ
１８８  取り付け部
１８９  係止突起
２０１  保持部品
【図１】
2006126807.tif 000003
【図２】
2006126807.tif 000004
【図３】
2006126807.tif 000005
【図４】
2006126807.tif 000006
【図５】
2006126807.tif 000007
【図６】
2006126807.tif 000008
【図７】
2006126807.tif 000009
【図８】
2006126807.tif 000010
【図９】
2006126807.tif 000011
【図１０】
2006126807.tif 000012
【図１１】
2006126807.tif 000013
【図１２】
2006126807.tif 000014
【図１３】
2006126807.tif 000015
【図１４】
2006126807.tif 000016
【図１５】
2006126807.tif 000017
【図１６】
2006126807.tif 000018
【図１７】
2006126807.tif 000019
【図１８】
2006126807.tif 000020
【図１９】
2006126807.tif 000021
【図２０】
2006126807.tif 000022
【図２１】
2006126807.tif 000023
【図２２】
2006126807.tif 000024
【図２３】
2006126807.tif 000025
【図２４】
2006126807.tif 000026
【図２５】
2006126807.tif 000027
【図２６】
2006126807.tif 000028
【図２７】
2006126807.tif 000029
【図２８】
2006126807.tif 000030
【図２９】
2006126807.tif 000031
【図３０】
2006126807.tif 000032
【図３１】
2006126807.tif 000033
【図３２】
2006126807.tif 000034
【図３３】
2006126807.tif 000035
【図３４】
2006126807.tif 000036
【図３５】
2006126807.tif 000037
【図３６】
2006126807.tif 000038
【図３７】
2006126807.tif 000039
【図３８】
2006126807.tif 000040
【図３９】
2006126807.tif 000041
【図４０】
2006126807.tif 000042
【図４１】
2006126807.tif 000043
【図４２】
2006126807.tif 000044
【図４３】
2006126807.tif 000045
【図４４】
2006126807.tif 000046
【図４５】
2006126807.tif 000047
【図４６】
2006126807.tif 000048
【図４７】
2006126807.tif 000049
【図４８】
2006126807.tif 000050
【図４９】
2006126807.tif 000051
【図５０】
2006126807.tif 000052
【図５１】
2006126807.tif 000053
【図５２】
2006126807.tif 000054
【図５３】
2006126807.tif 000055
【図５４】
2006126807.tif 000056
【図５５】
2006126807.tif 000057
【図５６】
2006126807.tif 000058
【図５７】
2006126807.tif 000059
【図５８】
2006126807.tif 000060
【図５９】
2006126807.tif 000061
【図６０】
2006126807.tif 000062
【図６１】
2006126807.tif 000063
【図６２】
2006126807.tif 000064
【図６３】
2006126807.tif 000065
【図６４】
2006126807.tif 000066
【図６５】
2006126807.tif 000067
【図６６】
2006126807.tif 000068